(57)【要約】【課題】ユーザ及びショルダーバッグにかかる負担を軽減することができるショルダーバッグを提供する。【解決手段】ショルダーバッグ１において、バッグ本体部２と、一端がバッグ本体部２の左側面に取り付けられるとともに、他端がバッグ本体部２の右側面に取り付けられたショルダーベルト４と、ショルダーベルト４の当該一端及び当該他端を覆うようにそれぞれ設けられた、ショルダーベルト４が取り付けられた部分を補強するための補強部５と、を備え、ショルダーベルト４を、バッグ本体部２の上側に向かって後ろ向きに傾斜して取り付けるとともに、補強部５を、ショルダーベルト４に対して略垂直となるように、バッグ本体部２の左側面及び右側面におけるバッグ本体部２の前面側から後面側に亘って設けるようにした。【選択図】図２
0003140165.tif 000002
【実用新案登録請求の範囲】
【請求項１】
バッグ本体部と、
一端が前記バッグ本体部の一方の側面に取り付けられるとともに、他端が前記バッグ本体部の他方の側面に取り付けられたショルダーベルトと、
前記ショルダーベルトの前記一端及び前記他端を覆うようにそれぞれ設けられた、当該ショルダーベルトが取り付けられた部分を補強するための補強部と、を備え、
前記ショルダーベルトは、前記バッグ本体部の上側に向かって後ろ向きに傾斜して取り付けられ、
前記補強部は、前記ショルダーベルトに対して略垂直となるように、前記バッグ本体部の前記一方の側面及び前記他方の側面における当該バッグ本体部の前面側から後面側に亘って設けられていることを特徴とするショルダーバッグ。
【請求項２】
請求項１に記載のショルダーバッグにおいて、
前記ショルダーベルトが挿通された肩当てパッドを備え、
前記肩当てパッドにおける前記ショルダーベルトを挿通する挿通部の前記ショルダーベルトと接触する接触部分は、前記肩当てパッドにおける当該接触部分以外の部分よりも、前記ショルダーベルトとの摩擦抵抗が低いことを特徴とするショルダーバッグ。
【請求項３】
請求項１又は２に記載のショルダーバッグにおいて、
前記バッグ本体部の内側に設けられ、当該バッグ本体部の内側における前後方向を仕切る仕切り部を備え、
前記仕切り部は、前記バッグ本体部の内側後方に向かって突出可能となるよう形成されていることを特徴とするショルダーバッグ。
【請求項４】
請求項１〜３の何れか一項に記載のショルダーバッグにおいて、
前記バッグ本体部は、平面視において、前記前面及び前記後面が当該バッグ本体部の前側に向かって突出するように湾曲していることを特徴とするショルダーバッグ。
【考案の詳細な説明】
【技術分野】
【０００１】
本考案は、ショルダーバッグに関する。
【背景技術】
【０００２】
従来、バッグ本体部と、一端がバッグ本体部の一方の側面に取り付けられるとともに他端がバッグ本体部の他方の側面に取り付けられたショルダーベルトと、ショルダーベルトが取り付けられた部分を補強する補強部と、を備えるショルダーバッグが知られている。
このようなショルダーバッグにおいては、ショルダーベルトは、バッグ本体部の上面方向に向かって取り付けられており、補強部は、バッグ本体部の上面方向に対して略垂直となるよう設けられている（例えば、特許文献１及び２参照）。
【特許文献１】実公昭６２−１９３９号公報
【特許文献２】実公昭６３−４４４２号公報
【考案の開示】
【考案が解決しようとする課題】
【０００３】
しかしながら、特許文献１や２に記載のように、ショルダーベルトが、バッグ本体部の上面方向に向かって取り付けられており、補強部が、バッグ本体部の上面方向に対して略垂直となるよう設けられていると、ユーザ及びショルダーバッグにかかる負担が大きくなるという問題がある。
【０００４】
本考案の課題は、ユーザ及びショルダーバッグにかかる負担を軽減することができるショルダーバッグを提供することにある。
【課題を解決するための手段】
【０００５】
上記課題を解決するために、請求項１に記載の考案は、
バッグ本体部と、
一端が前記バッグ本体部の一方の側面に取り付けられるとともに、他端が前記バッグ本体部の他方の側面に取り付けられたショルダーベルトと、
前記ショルダーベルトの前記一端及び前記他端を覆うようにそれぞれ設けられた、当該ショルダーベルトが取り付けられた部分を補強するための補強部と、を備え、
前記ショルダーベルトは、前記バッグ本体部の上側に向かって後ろ向きに傾斜して取り付けられ、
前記補強部は、前記ショルダーベルトに対して略垂直となるように、前記バッグ本体部の前記一方の側面及び前記他方の側面における当該バッグ本体部の前面側から後面側に亘って設けられていることを特徴とする。
【０００６】
請求項２に記載の考案は、
請求項１に記載のショルダーバッグにおいて、
前記ショルダーベルトが挿通された肩当てパッドを備え、
前記肩当てパッドにおける前記ショルダーベルトを挿通する挿通部の前記ショルダーベルトと接触する接触部分は、前記肩当てパッドにおける当該接触部分以外の部分よりも、前記ショルダーベルトとの摩擦抵抗が低いことを特徴とする。
【０００７】
請求項３に記載の考案は、
請求項１又は２に記載のショルダーバッグにおいて、
前記バッグ本体部の内側に設けられ、当該バッグ本体部の内側における前後方向を仕切る仕切り部を備え、
前記仕切り部は、前記バッグ本体部の内側後方に向かって突出可能となるよう形成されていることを特徴とする。
【０００８】
請求項４に記載の考案は、
請求項１〜３の何れか一項に記載のショルダーバッグにおいて、
前記バッグ本体部は、平面視において、前記前面及び前記後面が当該バッグ本体部の前側に向かって突出するように湾曲していることを特徴とする。
【考案の効果】
【０００９】
請求項１に記載の考案によれば、ショルダーベルトが、バッグ本体部の上側に向かって後ろ向きに傾斜して取り付けられており、補強部が、ショルダーベルトに対して略垂直となるように設けられているため、人間工学の観点等から、ユーザ及びショルダーバッグにかかる負担を軽減することができる。
すなわち、ショルダーベルトをバッグ本体部の上側に向かって後ろ向きに傾斜するよう取り付けることによって、ショルダーベルトを、自然にバッグ本体部からユーザの肩へと向かうようにすることができるため、ショルダーバッグがユーザの身体にフィットしやすくなり、ユーザにかかる負担を軽減することができる。また、補強部をショルダーベルトに対して略垂直となるよう設けることによって、ショルダーベルトを取り付けた部分にかかる力を分散することができるため、ショルダーベルトを取り付けた部分に亀裂等が入りにくくなり、ショルダーバッグにかかる負担を軽減することができる。
【００１０】
請求項２に記載の考案によれば、請求項１に記載の考案と同様の効果が得られることは無論のこと、肩当てパッドにおけるショルダーベルトを挿通する挿通部のショルダーベルトと接触する接触部分を、接触部分以外の部分よりも、ショルダーベルトとの摩擦抵抗が低くなるよう構成したため、肩当てパッドがショルダーベルト上を移動しやすくなり、肩当てパッドの位置が調整しやすい。
【００１１】
請求項３に記載の考案によれば、請求項１又は２に記載の考案と同様の効果が得られることは無論のこと、バッグ本体部の内側に設けられ、バッグ本体部の内側における前後方向を仕切る仕切り部を、バッグ本体部の内側後方に向かって突出可能となるよう形成したため、例えば、バッグ本体部の前面と仕切り部とにより挟まれる収納部に、厚みのある荷物が収納された場合であっても、仕切り部がバッグ本体部の内側後方に突出することになり、バッグ本体部の前面が外側に向かって突出して見た目が不格好になってしまうのを防止することができる。
【００１２】
請求項４に記載の考案によれば、請求項１〜３の何れか一項に記載の考案と同様の効果が得られることは無論のこと、バッグ本体部は、平面視において、前面及び後面がバッグ本体部の前側に向かって突出するように湾曲しているため、ショルダーバッグがユーザの身体にフィットしやすくなるとともに、ショルダーバッグの角などがすれ違う人や物とぶつかりにくくなり、ユーザにかかる負担を軽減することができる。
【考案を実施するための最良の形態】
【００１３】
以下、図を参照して、本考案にかかるショルダーバッグの最良の形態を詳細に説明する。なお、考案の範囲は、図示例に限定されない。
【００１４】
図１はショルダーバッグ１の正面図、図２はショルダーバッグ１の右側面図、図３は、ショルダーバッグの左側面図、図４はショルダーバッグ１の平面図、図５及び図６はショルダーバッグ１の右側面断面図である。
ここで、ショルダーバッグ１において、ユーザがショルダーバッグ１を肩にかけた際に上になる側を上側、下になる側を下側、前になる側を前側、後ろになる側を後側とし、上下方向と前後方向の双方に直交する方向を左右方向とする。
【００１５】
ショルダーバッグ１は、例えば、図１に示すように、バッグ本体部２と、バッグ本体部２の内側を仕切る仕切り部３と、一端がバッグ本体部２の左側面に取り付けられるとともに他端がバッグ本体部２の右側面に取り付けられたショルダーベルト４と、バッグ本体部２の左側面及び右側面におけるショルダーベルトが取り付けられた部分を補強するための補強部５，５と、ショルダーベルト４が挿通された肩当てパッド６と、などを備えて構成される。
【００１６】
バッグ本体部２は、ショルダーバッグ１を使用するユーザが荷物を収納するためのものである。
バッグ本体部２は、例えば、ナイロンなどの合成高分子繊維などによって形成されており、バッグ本体部２の表面には、例えば、エナメル加工が施されている。
バッグ本体部２は、例えば、外形が、左右方向に長尺な略直方体形状をなしている。
【００１７】
バッグ本体部２の内側は、バッグ本体部２の内側に設けられた仕切り部３により前後方向を仕切られることによって、バッグ本体部２の後面と仕切り部３とにより挟まれる第１収納部２１と、バッグ本体部２の前面と仕切り部３とにより挟まれる第２収納部２２と、に分かれている。
バッグ本体部２には、第１収納部２１のためのファスナーが、例えば、バッグ本体部２の左側面上側から上面を経由して右側面上側に亘って設けられており、第２収納部２２のためのファスナーが、例えば、バッグ本体部２の前面上側に設けられている。
また、バッグ本体部２の下面には、例えば、底鋲が設けられている。
【００１８】
仕切り部３は、バッグ本体部２の内側を仕切るためのものである。
仕切り部３は、例えば、ナイロンなどの合成高分子繊維などによって形成されている。
仕切り部３は、例えば、左右方向に沿って折りたたまれており、例えば、その折りたたまれた状態で、バッグ本体部２の内側に、バッグ本体部２の内側における前後方向を仕切るように設けられている。好ましくは、仕切り部３は、例えば、折りたたまれた状態で、バッグ本体部２の内側における前後方向中央よりも前側に設けられている。
【００１９】
具体的には、仕切り部３は、例えば、図５に示すように、側面断面視において、上部が下部よりも前側に配置されるように略Ｚ字状に折りたたまれており、上端がバッグ本体部２の前面上端に固定されるとともに、下端がバッグ本体部２の前面下端に固定されているため、バッグ本体部２の内側後方に向かって突出可能となっている。
すなわち、例えば、図５に示すように、仕切り部３が折りたたまれた状態では、第２収納部２２の厚さは小さいが、例えば、厚みのある荷物が収納されると、例えば、図６に示すように、仕切り部３がバッグ本体部２の内側後方に向かって突出して、第２収納部２２の厚さが大きくなる。
したがって、厚みのある荷物が第２収納部２２に収納されても、バッグ本体部２の前面が外側に向かって突出してしまうのを防止することができるため、ショルダーバッグ１の見た目が不格好になってしまうのを防止することができる。
【００２０】
ショルダーベルト４は、ショルダーバッグ１を使用するユーザが肩にかけるためのものである。
ショルダーベルト４は、例えば、ナイロンなどの合成高分子繊維などによって形成されている。
ショルダーベルト４は、例えば、略帯形状をなしており、ショルダーベルト４には、例えば、長さを調節するためのアジャスターが設けられている。
【００２１】
ショルダーベルト４は、例えば、バッグ本体部２の左側面及び右側面における上下方向中央より上側の前後方向略中央の位置に、バッグ本体部２の上側に向かって後ろ向きに傾斜して取り付けられている。
したがって、ショルダーベルト４は、自然にバッグ本体部２からユーザの肩へと向かうことになり、ショルダーバッグ１がユーザの身体にフィットしやすくなるため、ユーザの負担を軽減することができる。
【００２２】
補強部５は、ショルダーベルト４が取り付けられた部分を補強するためのものである。
補強部５は、例えば、ナイロンなどの合成高分子繊維で形成されており、補強部５の表面には、例えば、エナメル加工が施されている。
補強部５は、例えば、略帯形状をなしており、例えば、ショルダーベルト４におけるバッグ本体部２に取り付けられた部分（ショルダーベルト４の一端及び他端のそれぞれ）を覆った状態で、ショルダーベルト４とともにバッグ本体部２に縫い付けられたり、鋲で止められたりすることによって、バッグ本体部２に取り付けられている。
【００２３】
具体的には、補強部５は、例えば、バッグ本体部２の左側面及び右側面のそれぞれにおけるバッグ本体部２の前面側から後面側に亘って、ショルダーベルト４に対して略垂直となるように設けられている。
したがって、ショルダーベルト４を取り付けた部分にかかる力が分散され、ショルダーベルト４を取り付けた部分に亀裂等が入りにくくなるため、ショルダーバッグ１にかかる負担を軽減することができる。
【００２４】
肩当てパッド６は、ショルダーバッグ１を使用するユーザの肩にショルダーベルト４が食い込んだり、ユーザの肩からショルダーベルト４がすべり落ちたりするのを防ぐためのものである。
肩当てパッド６は、ショルダーベルト４が挿通可能となるよう形成されている。具体的には、例えば、ショルダーベルト４の幅（短手長さ）よりも大きい幅を有する略長円形状の第１シート６１と、第１シート６１の幅（短手長さ）と同等の幅を有する略矩形状の第２シート６２と、を重ね合わせて、第１シート６１の短手方向端部と第２シート６２の短手方向端部とを縫い合わせる等して連結することによって第１シート６１と第２シート６２との間にショルダーベルトが挿通される挿通部６３が形成されている。
【００２５】
肩当てパッド６におけるショルダーベルト４を挿通する挿通部６３のショルダーベルト４と接触する接触部分６ａは、肩当てパッド６における接触部分６ａ以外の部分よりも、ショルダーベルト４との摩擦抵抗が低くなるよう形成されている。
具体的には、肩当てパッド６における接触部分６ａ以外の部分は、例えば、ナイロンなどの合成高分子繊維によって形成されており、肩当てパッド６における接触部分６ａ以外の部分の表面には、例えば、エナメル加工が施されている。一方、肩当てパッド６における接触部分６ａ、すなわち、第１シート６１の第２シート６２側及び第２シート６２の第１シート６１側は、例えば、ナイロンなどの合成高分子繊維によって形成されており、肩当てパッド６における接触部分６ａの表面には、エナメル加工が施されていない。
したがって、肩当てパッド６がショルダーベルト４上を移動しやすくなり、肩当てパッド６の位置が調整しやすくなる。また、接触部分６ａと、接触部分６ａ以外の部分と、の材質は異なっているが、接触部分６ａは目に見えない位置にあるため、ショルダーバッグ１（肩当てパッド６）の見た目が不格好になることはない。
【００２６】
以上説明した本考案のショルダーバッグ１によれば、ショルダーベルト４が、バッグ本体部２の上側に向かって後ろ向きに傾斜して取り付けられており、補強部５が、ショルダーベルト４に対して略垂直となるように設けられているため、人間工学の観点等から、ユーザ及びショルダーバッグ１にかかる負担を軽減することができる。
すなわち、ショルダーベルト４をバッグ本体部２の上側に向かって後ろ向きに傾斜するよう取り付けることによって、ショルダーベルト４を、自然にバッグ本体部２からユーザの肩へと向かうようにすることができるため、ショルダーバッグ１がユーザの身体にフィットしやすくなり、ユーザにかかる負担を軽減することができる。また、補強部５をショルダーベルト４に対して略垂直となるよう設けることによって、ショルダーベルト４を取り付けた部分にかかる力を分散することができるため、ショルダーベルト４を取り付けた部分に亀裂等が入りにくくなり、ショルダーバッグ１にかかる負担を軽減することができる。
【００２７】
また、本考案のショルダーバッグ１によれば、肩当てパッド６におけるショルダーベルト４を挿通する挿通部６３のショルダーベルト４と接触する接触部分６ａを、接触部分６ａ以外の部分よりも、ショルダーベルト４との摩擦抵抗が低くなるよう構成したため、肩当てパッド６がショルダーベルト４上を移動しやすくなり、肩当てパッド４の位置が調整しやすい。
【００２８】
また、本考案のショルダーバッグ１によれば、バッグ本体部２の内側に設けられ、バッグ本体部２の内側における前後方向を仕切る仕切り部３を、バッグ本体部２の内側後方に向かって突出可能となるよう形成したため、例えば、バッグ本体部２の前面と仕切り部３とにより挟まれる第２収納部２２に、厚みのある荷物が収納された場合であっても、仕切り部３がバッグ本体部２側に突出することになり、バッグ本体部２の前面が外側に向かって突出して見た目が不格好になってしまうのを防止することができる。
【００２９】
なお、本考案は、上記した実施の形態のものに限るものではなく、その要旨を逸脱しない範囲で適宜変更可能である。
【００３０】
＜変形例１＞
バッグ本体部２の形状は、左右方向に長尺な略直方体形状に限ることはなく、例えば、図７に示すショルダーバッグ１Ａのバッグ本体部２Ａのように、ショルダーバッグ１Ａを使用するユーザの身体にフィットするように湾曲していても良い。
【００３１】
具体的には、ショルダーバッグ１Ａは、例えば、平面視において前面及び後面が前側に向かって突出するように湾曲したバッグ本体部２Ａと、仕切り部３と、ショルダーベルト４と、補強部５，５と、肩当てパッド６と、などを備えて構成される。
すなわち、ショルダーバッグ１Ａにおけるバッグ本体部２Ａ以外の構成は、上記した実施の形態（ショルダーバッグ１）の構成と略同一である。具体的には、仕切り部３は、例えば、左右方向に沿って折りたたまれた状態においては、平面視においてバッグ本体部２Ａの前側に向かって突出するように湾曲した状態で、バッグ本体部２Ａに設けられている。
【００３２】
以上説明した変形例１のショルダーバッグ１Ａによれば、バッグ本体部２Ａは、平面視において、前面及び後面がバッグ本体部２Ａの前側に向かって突出するように湾曲しているため、ショルダーバッグ１Ａがユーザの身体にフィットしやすくなるとともに、ショルダーバッグ１Ａの角などがすれ違う人や物とぶつかりにくくなり、ユーザにかかる負担を軽減することができる。
【００３３】
なお、上記した実施の形態及び変形例１において、バッグ本体部２，２Ａの構造及び材質は、特に限定されるものではない。
すなわち、例えば、バッグ本体部２の形状は、バッグ本体部２が、ショルダーベルト４を取り付ける左側面及び右側面を有するのであれば任意であり、バッグ本体部２Ａの形状は、バッグ本体部２が、ショルダーベルト４を取り付ける左側面及び右側面を有するとともに、平面視において前側に向かって突出するように湾曲した前面及び後面を有するのであれば任意である。また、例えば、バッグ本体部２，２Ａの材質は、ナイロンなどの合成高分子繊維に限ることはなく任意であるとともに、バッグ本体部２，２Ａに施す表面加工の種類も、エナメル加工に限ることはなく任意であり、さらに、バッグ本体部２，２Ａには表面加工が施されていなくても良い。
【００３４】
また、上記した実施の形態及び変形例１において、仕切り部３の構造及び材質は、特に限定されるものではない。
すなわち、例えば、仕切り部３の形状や折りたたみ方などは、仕切り部３が、バッグ本体部２，２Ａの内側に向かって突出可能であれば任意である。また、例えば、仕切り部３の材質や表面加工の有無、表面加工の種類などは任意である。
ここで、例えば、仕切り部３をバッグ本体部２，２Ａの前面の材質よりも伸縮性のある材質で形成する等して、仕切り部３を、バッグ本体部２，２Ａよりも、伸縮性が高くなるよう構成すると、仕切り部３を、左右方向に沿って折りたたむことなく、バッグ本体部２，２Ａの内側に向かって突出可能に形成することができる。
【００３５】
また、上記した実施の形態及び変形例１において、ショルダーベルト４の構造及び材質は、特に限定されるものではない。
すなわち、例えば、ショルダーベルト４は、長さを調節できる構造でなくても良い。また、例えば、ショルダーベルト４の材質や表面加工の有無、表面加工の種類などは任意である。
【００３６】
また、上記した実施の形態及び変形例１において、補強部５の構造及び材質は、特に限定されるものではない。
すなわち、例えば、補強部５の形状は、少なくとも補強部５の上端が、ショルダーベルト４に対して略垂直であれば任意である。また、例えば、補強部５の材質や表面加工の有無、表面加工の種類などは任意である。
【００３７】
また、上記した実施の形態及び変形例１において、肩当てパッド６の構造及び材質は、特に限定されるものではない。
すなわち、例えば、肩当てパッド６の形状は、肩当てパッド６が、ショルダーベルト４を挿通できるのであれば任意である。また、例えば、肩当てパッド６における接触部分６ａ及び接触部分６ａ以外の部分の材質や表面加工の有無、表面加工の種類などは、接触部分６ａのショルダーベルト４との摩擦抵抗が、接触部分６ａ以外の部分よりも低いのであれば任意である。
【００３８】
さらに、上記した実施の形態及び変形例１において、ショルダーベルト１，１Ａは、仕切り部３を備えていなくても良い。
また、上記した実施の形態及び変形例１において、ショルダーベルト１，１Ａは、肩当てパッド６を備えていなくても良いし、肩当てパッド６がショルダーベルト４上を移動可能でなくても良い。
【図面の簡単な説明】
【００３９】
【図１】本考案を適用した一実施形態として例示するショルダーバッグの正面図である。
【図２】本考案を適用した一実施形態として例示するショルダーバッグの右側面図である。
【図３】本考案を適用した一実施形態として例示するショルダーバッグの左側面図である。
【図４】本考案を適用した一実施形態として例示するショルダーバッグの平面図である。
【図５】本考案を適用した一実施形態として例示するショルダーバッグにおいて、仕切り部がバッグ本体部の内側後方に向かって突出していない状態を示す右側面断面図である。
【図６】本考案を適用した一実施形態として例示するショルダーバッグにおいて、仕切り部がバッグ本体部の内側後方に向かって突出した状態を示す右側面断面図である。
【図７】本考案を適用した変形例として例示するショルダーバッグの平面図である。
【符号の説明】
【００４０】
１，１Ａ  ショルダーバッグ
２，２Ａ  バッグ本体部
３  仕切り部
４  ショルダーベルト
５  補強部
６  肩当てパッド
６ａ  接触部分
６３  挿通部
【図１】
0003140165.tif 000003
【図２】
0003140165.tif 000004
【図３】
0003140165.tif 000005
【図４】
0003140165.tif 000006
【図５】
0003140165.tif 000007
【図６】
0003140165.tif 000008
【図７】
0003140165.tif 000009